(57)【要約】【課題】清掃が容易で、開口部の一面側と他面側との通気を図ることができると共に開口部の一面側と他面側との間の止水性に優れる開口部装置を提供する。【解決手段】  開口部装置１において、戸先側竪枠１１と戸先框１９との間には隙間２１が設けてあり、上一面側タイト材２７と、上他面側タイト材２９と、下一面側タイト材３１と、下他面側タイト材３３とが戸先竪框１９に当接して、上部一面側止水ライン３０ａ、上部他面側止水ライン３０ｂ、下部一面側止水ライン３４ａ、下部他面側止水ライン３４ｂを形成してあり、枠側止水部品４３は、戸先側竪枠１１と戸先框１９との間の水止め機能と、隙間２１に入った水を、下部一面側止水ライン３４ａよりも開口部の一面側に誘導する機能を有するものであり、戸先框１９は、下部一面側止水ライン３４ａよりも開口部の一面側に、戸先側竪枠１１に向けて突設した水返し部３７を有する。【選択図】図１
2015045142.tif 000002
【特許請求の範囲】
【請求項１】
開口部に竪枠を有する枠と、竪枠に対向する竪框を有する引戸と、タイト材と、止水部品とを備え、竪枠と竪框との間には、開口部の一面側と他面側に開口した隙間が設けてあり、タイト材は、竪枠又は竪框に設けて、相手側に当接するものであり、竪枠と竪框の間の上部においては、開口部の一面側と他面側との少なくともいずれか一側に設けて上部止水ラインを形成し、下部においては、開口部の一面側と他面側との各々の側に設けて下部一面側止水ラインと下部他面側止水ラインとを形成してあり、止水部品は、竪枠の下部における下部一面側止水ラインと下部他面側止水ラインとの間に設けて、竪枠と竪框との間の水止め機能と、竪枠と竪框の間の隙間に入った水を、下部一面側止水ラインよりも開口部の一面側に誘導する機能を有するものであり、竪框は、下部一面側止水ラインよりも開口部の一面側に、竪枠に向けて突設した水返し部を有することを特徴とする開口部装置。
【発明の詳細な説明】
【技術分野】
【０００１】
本発明は、戸やサッシ等の開口部装置に関する。
【背景技術】
【０００２】
例えば、浴室戸（開口部装置）では、引戸を閉めたときに竪枠と竪框との間に、浴室側と脱衣室側とに開口した隙間を形成して通気を図ると共にこの隙間を通じて浴室側から脱衣室側へ水が浸入するのを防止する技術が公知である。
かかる従来技術として、非特許文献１には、図１５に示すように、竪枠１０１に引戸側に突出する浴室側（一面側）突条１０３と、脱衣室側（他面側）突条１０５と、浴室側突起１０３と脱衣室側突条１０５との間に中間突起１０７とを設けると共に、竪框１０８には浴室側突条１０３と中間突条１０７との間に突出する浴室側突条１１１と、脱衣室側突条１０５と中間突条１０７との間に突出する脱衣室側突条１１２とを設けることが開示されている。この浴室戸では、竪枠と竪框とに設けた各突条１０３、１０５、１０７、１１１、１１２により、浴室側と脱衣室側とに開口した隙間をジグザグにしている。
【先行技術文献】
【特許文献】
【０００３】
【非特許文献１】第１８８頁  「ＳＹＳＴＥＭ  ＢＡＴＨＲＯＯＭ  Ｌａ・ＢＡＴＨ／システムバスルーム  ラ・バス」ヨ−ＰＵ２８  株式会社ＩＮＡＸ  ２００８年３月２０日発行
【発明の概要】
【発明が解決しようとする課題】
【０００４】
しかし、非特許文献１の技術では、竪枠１０１には浴室側突条１０３、脱衣室側突条１０５及び中間突条１０７の合計３つの突条があり、突条の数が多いと共に隣り合う突起間の間隔が狭くなる為に、竪枠１０１の框側面が清掃し難いという問題がある。また、竪框１０８にも浴室側と脱衣室側で竪框側に向けて突出する合計２つの突条１１１、１１２を設けているので、竪框１０８の竪枠側面もこれらの突条１１１、１１２によりに竪框の竪枠側面が清掃し難いという問題があった。
【０００５】
そこで、本発明は、開口部の一面側と他面側との通気を図ることができると共に開口部の一面側と他面側との間の止水性に優れ、且つ清掃が容易な開口部装置の提供を目的とする。
【課題を解決するための手段】
【０００６】
請求項１に記載の発明は、開口部に竪枠を有する枠と、竪枠に対向する竪框を有する引戸と、タイト材と、止水部品とを備え、竪枠と竪框との間には、開口部の一面側と他面側に開口した隙間が設けてあり、タイト材は、竪枠又は竪框に設けて、相手側に当接するものであり、竪枠と竪框の間の上部においては、開口部の一面側と他面側との少なくともいずれか一側に設けて上部止水ラインを形成し、下部においては、開口部の一面側と他面側との各々の側に設けて下部一面側止水ラインと下部他面側止水ラインとを形成してあり、止水部品は、竪枠の下部における下部一面側止水ラインと下部他面側止水ラインとの間に設けて、竪枠と竪框との間の水止め機能と、竪枠と竪框の間の隙間に入った水を、下部一面側止水ラインよりも開口部の一面側に誘導する機能を有するものであり、竪框は、下部一面側止水ラインよりも開口部の一面側に、竪枠に向けて突設した水返し部を有することを特徴とする開口部装置である。
【発明の効果】
【０００７】
本発明によれば、引戸を閉めた状態において、竪枠と竪框との間には開口部の一面側と他面側に開口した隙間が設けてあるので、開口部の一面側と他面側との通気を図ることができる。
竪枠と竪框との間には、上部止水ラインと、下部一面側止水ラインと、下部他面側止水ラインを設けていると共に、止水部品が竪枠下部における水止め機能を有し且つ竪枠と竪框の間の隙間に入った水を下部一面側止水ラインよりも開口部の一面側に誘導する機能を有するので、開口部の一面側と他面側との間における止水性に優れる。
また、竪枠と竪框の間に上部止水ラインと、下部一面側止水ラインと、下部他面側止水ラインを設けることにより、特に水を受けやすい上部と下部とで、防水を高めることができる。例えば、開口部装置が浴室戸の場合には、浴槽から溢れ出たり、浴室の床から跳ね上がった水は下部一面側止水ラインと下部他面側止水ラインで、シャワーを浴びたとき等の高い位置で降り注ぐ水は上部止水ラインで脱衣室側への水の浸入を防止できる。
竪枠と竪框との間では、竪枠又は竪框に設けたタイト材が相手方に当接して止水ラインを形成しているので、竪枠や竪框に各々対向する側に突出して隙間にジグザグを形成する突条の数を従来技術よりも少なくできると共に突条が少なくて済むので突条間の間隔を広くできるから、竪枠や竪框の清掃がし易い。
竪框には、下部一面側止水ラインよりも開口部の一面側に水返し部を設けているので、竪枠と竪框との間の隙間の一面側開口から水が入るのを防止できるから、竪枠と竪框間の隙間に形成する止水構造（突条や止水ラインによるジグザグ等）を簡単にできる。
【図面の簡単な説明】
【０００８】
【図１】本発明の第１実施の形態にかかる開口部装置であり、引戸を閉める前の戸先側の下部と枠の戸先側下部とを引戸側から見た斜視図である。
【図２】本発明の第１実施の形態にかかる開口部装置であり、図１に示す引戸戸先側の下部と枠の戸先側下部を浴室側から見た斜視図であり、一点鎖線で抜き出して示すのは引戸戸先側の下部を戸先竪枠側から見た斜視図である。
【図３】本発明の第１実施の形態にかかる開口部装置であり、引戸を閉めたときの戸先側の下部と枠側止水部材とを戸先竪枠側から見た斜視図である。
【図４】本発明の第１実施の形態にかかる開口部装置であり、引戸を閉めたときの戸先側の下部と枠の戸先側下部を引戸側から見た斜視図である。
【図５】本発明の第１実施の形態にかかる開口部装置であり、引戸を閉めたときの戸先框と戸先竪枠の横断面図である。
【図６】本発明の第１実施の形態にかかる開口部装置であり、枠側止水部品を取付ける前の枠の戸先側下部を引戸側から見た斜視図である。
【図７】本発明の第１実施の形態にかかる開口部装置であり、引戸側止水部品を取付ける前の引戸戸先側の下部を示す斜視図である。
【図８】本発明の第１実施の形態にかかる開口部装置であり、図１１に示すＡ−Ａ断面図である。
【図９】本発明の第１実施の形態にかかる開口部装置であり、図１１に示すＢ−Ｂ断面図である。
【図１０】本発明の第１実施の形態にかかる開口部装置であり、図１１に示すＣ−Ｃ断面図である。
【図１１】本発明の第１実施の形態にかかる開口部装置を浴室側から見た正面図である。
【図１２】本発明の第２実施の形態にかかる開口部装置であり、引戸を閉める前の引戸戸先側の下部と枠の戸先側下部とを引戸側から見た斜視図である。
【図１３】本発明の第３実施の形態にかかる開口部装置であり、枠の戸先側下部を引戸側から見た斜視図である。
【図１４】本発明の第１実施の形態にかかる開口部装置の変形例を示す図であり、引戸を閉めたときの戸先框と戸先竪枠の横断面図である。
【図１５】従来の開口部装置の横断面図である。
【発明を実施するための形態】
【０００９】
以下に、添付図面を参照して本発明の実施の形態を説明するが、まず、図１〜図１１を参照して本発明の第１実施の形態を説明する。第１実施の形態に係る開口部装置１は、浴室戸であり、図１１に示すように、開口部Ｋに設けた枠３と引戸５とを備えている。
枠３は、上枠７と、下枠９と、戸先側竪枠（竪枠）１１、戸尻側竪枠１３とを備えている。
引戸５は、上框１５と、下框１７と、戸先框（竪框）１９と、戸尻框２０とでパネル２２の周囲を囲んでいる。
【００１０】
図５及び図８に示すように、戸先側竪枠１１には、引戸側面に突設する一面側突条２３と、他面側突条２５とが各々長手方向に設けてあり、これらの一面側突条２３と他面側突条２５とは見込み方向に間隔をあけている。引戸５が閉じ状態にあるときに、戸先側竪枠１１と戸先框１９との間には、後述する上部と下部との間の中間部に、開口部Ｋの一面側と他面側に開口した隙間２１を形成しており、この隙間２１は一面側と他面側との通気路になっている。
【００１１】
図８及び図９に示すように、戸先側竪枠１１の上部には、一面側突条２３と他面側突条２５との間に、上一面側タイト材２７と上他面側タイト材２９とが設けてある。図８に示すように、上一面側タイト材２７と上他面側タイト材２９は、横断面がコ字形状を成すアルミニウム製の上タイト材ホルダ２８に保持してあり、先端を互いに対向する側に突設している。そして、上一面側タイト材２７の先端が戸先側框１９の一面側面１９ａに当接して上部一面側止水ライン３０ａ（図９参照）を形成し、上他面側タイト材２９の先端が戸先側框１９の他面側面１９ｂに当接して上部他面側止水ライン３０ｂ（図９参照）を形成している。上一面側タイト材２７と上他面側タイト材２９は、例えば、上枠７の下面７ａから約４ｃｍに亘って設けてある。
【００１２】
図１及び図９に示すように、戸先側竪枠１１の下部には、一面側突条２３と他面側突条２５との間に、下一面側タイト材３１と下他面側タイト材３３とが設けてある。下一面側タイト材３１と下他面側タイト材３３は、横断面がコ字形状を成すアルミニウム製の下タイト材ホルダ３２（図６参照）に保持してあり、先端を互いに対向する側に突設している。そして、下一面側タイト材３１の先端が戸先側框１９の一面側面１９ａに当接して下部一面側止水ライン３４ａを形成し、下他面側タイト材３３の先端が戸先側框１９の他面側面１９ｂに当接して上部他面側止水ライン３４ｂを形成している。下一面側タイト材３１は、例えば、下枠９の上面９ａから約６ｃｍに亘って設けてあるが、下他面側タイト材３３のほうが下一面側タイト材３１よりも長くしてあり、下他面側タイト材３３は下枠９の上面９ａから約１０ｃｍにしてあり、下他面側タイト材３３の上端が、下一面側タイト材３１の上端よりも高い位置にある。
【００１３】
図１〜５に示すように、引戸５の戸先框１９は、框本体３５と、框本体３５の一面側に設けた水返し部３７とを備えている。框本体３５と水返し部３７とは一体に形成されている。框本体２７の他面側には他面側取手３９が他面側に突設して形成されている。
図４及び図５に示すように、框本体３５は、戸先側端部に嵌り込み部３６を有しており、この嵌り込み部３６は引戸５を閉じたときに、戸先竪枠１１の一面側突条２３と他面側突条２５との間に位置する。
水返し部３７は、框本体３５の一面側に突設する基部３７ａと基部３７ａから戸先側竪枠１１に向けて突設する先端部３７ｂとで、横断面略Ｌ字形状に形成してある。基部３７ａと先端部３７ｂとのコーナー部には、一面側に向けて突設する一面側取手４１が水返し部３７と一体に形成されている。
図５に示すように、引戸５を閉じた状態では、水返し部３７はその先端部３７ｂの先端が、戸先側竪枠１１の一面側突条２３の一面側に位置し、一面側から見たときに一面側突条２３に重なっている。
【００１４】
図１及び図６に示すように、戸先側竪枠１１の下部には、一面側突条２３と他面側突条２５との間に樹脂製の枠側止水部材４３が設けてあり、図２に示すように、戸先框１９の下部の戸先側面には樹脂製の框側止水部材４５が設けてある。
図１及び図６に示すように、枠側止水部品４３は、下一面側タイト材３１の上端に載置する一面側載置部４７と、下他面側タイト材３３の上端に載置する他面側載置部４９と、誘導路５１とを備えている。下他面側タイト材３３の上端は誘導路５１の他面側端よりも上に位置している。
誘導路５１は、一面側を低くして他面側から一面側に傾斜した傾斜部５１ａと、傾斜部５１ａの一面側で略水平を成す排水部５１ｂを有し、図３に示すように、傾斜部５１ａの他面側端は、他面側載置部４９の枠外周側に位置して、他面側突条２５の一面側面に当接している。また、下他面側タイト材３３と戸先側竪枠１１の見込み面との間には隙間が設けてあり、この隙間に誘導路５１の他面側部が配置してある。図１及び図３に示すように、排水部５１ｂの一面側端は一面側突条の２３の他面側面に当接している。本実施の形態では、排水部５１ｂは、一面側載置部４７の上面に形成している。また、傾斜部５１ａと排水部５１ｂとは、鈍角を形成している。
【００１５】
図２及び図３に示すように、框側止水部品４５は、戸先框１９の下部で、嵌り込み部３６の竪枠側面に取り付けてあり、図３に示すように、引戸を閉じたときに、框側止水部品４５の竪枠側面が、枠側止水部品４３の傾斜部５１ａの引戸側縁５３に当接する。
框側止水部品４５の上端部には、戸先竪枠１１側を低く傾斜した水落し部５５が形成してあり、水落し部５５は、枠側止水部品４３の傾斜部５１ａよりも上方に位置している。
框側止水部品４５は、引戸５を閉じたときに、枠側止水部品４３に当接して戸先側竪枠１１と戸先框１９との間における隙間２１の下部を塞ぐものである。
図７に示すように、框側止水部品４５には、上下に２つの嵌合突起４５ｂ、４５ｂが形成してあり、これらの嵌合突起４５ｂ、４５ｂを戸先框１９の戸先面に形成してある止水部品取付穴１９ｃ及び既存の障子組立穴１９ｄに各々嵌合して戸先框１９に取り付けてある。尚、図７において戸先框１９に形成してある穴１９ｅは戸車調整用穴であり、框側止水部品４５には、戸車調整用穴１９ｅに対応した位置に挿通穴４５ａが形成されており、挿通穴４５ａから戸車を調整可能にしている。
尚、図２に一点鎖線で抜き出して示すように、戸先框１９の下端部にはコーナーキャップ４６が設けてあり、コーナーキャップ４６には、引戸レール５９を通す溝４６ａが形成されており、その引戸レール５９の一面側と他面側とには、各々溝壁４６ｂ、４６ｂが設けてある。
【００１６】
ここで、枠側止水部品４３及び框側止水部品４５の取り付けについて説明する。
図６に示すように、まず、戸先側竪枠１１の下部において、一面側突条２３と他面側突条２５との間に下タイト材ホルダ３２を下枠９の上に配置して、下タイト材ホルダ３２を戸先側竪枠１１にねじ止めする。
そして、下タイト材ホルダ３２の上に枠側止水部品４３を配置して、下に滑り降ろすようにして、一面側載置部４７を下一面側タイト材３１の上端に載置し、他面側載置部４９を下他面側タイト材３１の上端に載置して、枠側止水部品４３を取り付ける。
図７に示すように、框側止水部品４５は、嵌合突起４５ｂ、４５ｂを戸先框１９の戸先面に形成してある止水部品取付穴１９ｃ及び既存の障子組立穴１９ｄに各々嵌合して戸先框１９に固定する。
【００１７】
次に、第１実施の形態にかかる開口部装置１の作用効果について説明する。
図５に示すように、引戸５を閉じた状態にあるときに、例えば、浴室内の換気扇が作動して浴室内が減圧になると、戸先側竪枠１１と戸先側竪框１９の間の上下方向中間部にある隙間２１が通気路となって、脱衣室側（他面側）の空気が浴室側（一面側）に流入して浴室内が換気される。
一方、浴室内でのシャワー水や浴室内で跳ねて飛散する水が、隙間２１の浴室側開口２１ａに向かうと、水返し部３７の基部３７ａと先端部３７ｂとにより浴室側開口部２１ａが囲まれているので、浴室側開口２１ａに水が入るのが防止される。
【００１８】
図９に示すように、戸先側竪枠１１と戸先側竪框１９との間の上部には、上一面側タイト材２７と上他面側タイト材２９とにより、上一面側止水ライン３０ａと上他面側止水ライン３０ｂとを形成しており、下部においては、下一面側タイト材３１と下他面側タイト材３３とで各々、下部一面側止水ライン３４ａと下部他面側止水ライン３４ｂとを形成しているので、特に水を受けやすい上部と下部とで、防水を高めることができる。例えば、シャワーを浴びたとき等の高い位置で降り注ぐ水は上一面側止水ライン３０ａと上他面側止水ライン３０ｂとで脱衣室側への水の浸入を防止し、浴室の浴槽から溢れ出たり、浴室の床から跳ね上がった水は下部一面側止水ライン３０ａと、下部他面側止水ライン３０ｂにより脱衣室側への水の浸入を防止する。
図３に示すように、更に、戸先側竪枠１１と戸先側竪框１９との間の下部では、枠側止水部品４３と框側止水部品４５とが当接して、隙間２１を塞いでいるので、戸先側竪枠１１と戸先側竪框１９との間の水の浸入を防止する。
【００１９】
図５に示すように、戸先側竪枠１１と戸先側竪框１９との間の中間部では、隙間２１に侵入した水は、戸先側竪枠１１や戸先框１９を伝わって下方に落下する。戸先側竪枠１１を伝わって下方に落下した水は、図１及び図３に示すように、枠側止水部品４３の誘導路５１に導かれ、傾斜部５１ａに沿って排水部５１ｂに流れ、排水部５１ｂから下部一面側止水ライン３４ａの一面側へ排水する。このように、隙間２１に侵入した水は、下部一面側止水ライン３４ａよりも一面側へ排水するので、戸先竪枠１１や戸先框１９を伝わって他面側（脱衣室側）へ水が浸入するのを防止できる。
一方、図３に示すように、戸先框１９を伝わって下方に落下した水は、框側止水部品４５の水落し部５５によって、枠側止水部品４３の誘導路５１に落下し、誘導路５１の排水部５１ａから、下部一面側止水ライン３４ａの一面側へ排水する。
尚、戸先側竪枠１１及び戸先框１９の清掃は、引戸５を開いて、戸先側竪枠１１の戸先側面と戸先框１９の枠側面を露出して行う。
【００２０】
この第１実施の形態によれば、図５に示すように、戸先側竪枠１１と戸先框１９との間の上下方向中間部には開口部Ｋの一面側と他面側に開口した隙間２１が設けてあるので、一側面と他側面との通気を図ることができる。
図９に示すように、戸先側竪枠１１と戸先竪框１９との間には、上部一面側止水ライン３０ａと、上部他面側止水ライン３０ｂと、下部一面側止水ライン３４ａと、下部他面側止水ライン３４ｂを設けていると共に、枠側止水部品４３と框側止水部品４５が下部における水止め機能を有し且つ下部一面側止水ライン３４ａを超えた水を下部一面側止水ライン３４ａよりも一面側に誘導する機能を有するので、一面側と他面側との間における止水性に優れる。
戸先側竪枠１１と戸先竪框１９の間に上部一面側止水ライン３０ａと、上部他面側止水ライン３０ｂと、下部一面側止水ラインと３４ａと、下部他面側止水ライン３４ｂを設けることにより、特に水を受けやすい上部と下部とで、防水を高めることができる。
戸先側竪枠１１と戸先竪框１９との間では、戸先側竪枠１１に設けた各タイト材２７、２９、３１、３３が戸先竪框（相手方）１９に当接して各々止水ライン３０ａ、３０ｂ、３４ａ、３４ｂを形成しているので、戸先側竪枠１１や戸先竪框１９に、各々対向する側に突出して隙間２１にジグザグを形成する突条（突起）２３、２５を従来技術よりも少なくできると共に突条２３、２５間の間隔を広くできるから、戸先側竪枠１３や戸先框１９の清掃がし易い。
図５に示すように、戸先框１９には、下部一面側止水ライン３４ａよりも開口部Ｋの一面側に水返し部３７を設けているので、戸先側竪枠１１と戸先框１９との間の隙間２１に一面側から水が入るのを防止できるから、戸先側竪枠１１と戸先框１９間の隙間２１に形成する止水構造（突起によるジグザグやタイト材等）を簡単にできる。
特に、本実施の形態では、戸先側竪枠１１には、一面側突条２３と他面側突条２５との２つの突条のみを形成してあり、引戸を閉めたときに突条２３、２５間には戸先框１９の嵌り込み部３６のみが入り込む構成であるから、少ない数の突条２３、２５で隙間２１にジグザグ通路を形成できる。また、突条２３、２５間の隙間（通気路）２１のジグザグ通路が従来技術よりもシンプルであるから、通気性が良く、換気効率が良い。また、ごみや塵が溜まり難い。
【００２１】
水返し部３７は、基部３７ａを隙間２１の一面側開口２１ａに対向する位置に設け且つ先端部３７ｂは一面側から見たときに戸先側竪枠１１の一面側突条２３と重なる位置にあるから、水返し部３７と一面側突条２３とでジグザグ通路を形成しているので、止水性が高い。
図１及び図３に示すように、枠側止水部品４３は、誘導路５１において、傾斜部５１ａと排水部５１ｂとが鈍角を形成しているから、傾斜部５１ａと排水部５１ｂのコーナーに塵等が溜まり難く且つ清掃し易い。
下他面側タイト材３３の上端は誘導路５１の他面側端よりも上に位置しているので、万一、落下する水が排水よりも多い為に誘導路５１に水が溜まっても下他面側タイト材３３の上端まで水を保持することができ、他面側へ水が流れ込むのを防止できる。
下他面側タイト材３３と戸先側竪枠１１の見込み面との間には隙間が設けてあり、この隙間に誘導路５１の他面側部が配置してあるから、戸先側竪枠１１の見込み面を伝わって落ちる溝を誘導路５１に導くことができる。
図６に示すように、下タイト材ホルダ３２と枠側止水部品４３を別体にして分けているので、下タイト材ホルダ３２を戸先側竪枠１１にとめているねじ３２ａを枠側止水部品４３で隠すことができ意匠性が良いと共にねじの頭が露出していないので凹凸がないから清掃し易い。
【００２２】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図１２に本発明の第２実施の形態を示す。第２実施の形態にかかる開口部装置１は、戸先側竪枠１１の一面側突条２３には、枠側止水部品４３の排水部５１ａに対応した位置に排水孔６１を形成してあり、排水部５１ｂに流れてきた水を一面側突条２３の一面側へ排水するようにしている。
この第２実施の形態では、排水部５１ｂの水を下部一面側止水ライン３４ａより一面側にある一面側突条２３の一面側へ排水するので、第１実施の形態よりも更に止水性に優れる。
【００２３】
図１３に第３実施の形態を示す、この第３実施の形態では、枠側止水部品４３と下枠９の上面との間には、樹脂製の台座５７が設けてあり、枠側止水部品４３は台座５７の上に載置してある。台座５７には、下枠９の上面に設けた引戸レール５９の端部に嵌り込むレール受け部５７ａを設けてある。また、台座５７には、レール受け部５７ａの一面側と他面側とに各々溝５７ｂが形成されている。
この第３実施の形態では、レール受け部５７ａの一面側と他面側とに溝５７ｂ、５７ｂを形成することにより、戸先框１９のコーナーキャップ４６に設けた溝壁４６ｂ、４６ｂ（図２参照）を台座５７の溝５７ｂ、５７ｂに入り込ませて戸先側竪枠１１に深く引戸５を閉めることができる。これにより、連続した下一面側タイト材３１と下枠一面側タイト材９ｂとを戸先框１９の一面側面１９ａに密着させることができるので、水密性を高めることができる。一方、台座５７に溝５７ｂ、５７ｂを形成しないで、コーナーキャップ４６に台座５７が入り込むような切除部を形成した場合には、下一面側タイト材３１と下枠一面側タイト材９ｂとが連続する部分が切除部に位置してしまう為に戸先框１９の一面側面１９ａに密着できなくなるおそれがあると共にこの切除部から一面側の水が他面側へ入り込むおそれがある。
また、台座５７のレール受け部５７ａが引戸レール５９の端部に嵌まり込んでいるので、引戸５の戸先框１９が戸先側竪枠１１に深く入り込んでも、戸先框１９の戸先側端を引戸レール５９に乗せることができ、戸先框１９を安定に保持することがでる。これにより、下一面側タイト材３１と下枠一面側タイト材９ｂとを戸先框１９の一面側面１９ａに安定して密着させることができる。
また、下枠９に載置する台座５７を枠側止水部品４３と別体にしているので、異なる下枠形状であっても、同種類の枠側止水部品４３を使用することができる。
【００２４】
本発明は、上述した実施の形態に限らず、本発明の要旨を逸脱しない範囲で種々変形可能である。
例えば、第１実施の形態や第２実施の形態にかかる開口部装置１は、浴室戸に限らず、玄関戸やサッシに用いて、開口部の一面側を室外側とし、開口部の他面側を室内側として、隙間２１により室内の換気を図るようにしても良い。
図１４に示すように、水返し部３７は、湾曲した形状であってもよく、形状は限定されない。
戸先側竪枠１１には、戸先框１９の嵌り込み部３６を呑み込む凹み状の戸杓りを形成して、一面側突条２３及び他面側突条２５を設けない構成にしても良い。
請求項１に記載の上部止水ラインは、上部一面側止水ライン３０ａと上部他面側止水ライン３０ｂの少なくともいずれか一方だけでも良い。
請求項１に記載の止水部品は、枠側止水部品４３と框側止水部品４５との２つで構成することに限らず、これらを一体にして戸先側竪枠１１又は戸先框１９に取付けても良い。
上タイト材ホルダ２８及び下タイト材ホルダ３２は各々樹脂製であっても良い。
【符号の説明】
【００２５】
１    開口部装置
３    枠
５    引戸
１１  戸先側竪枠（竪枠）
１９  戸先框（竪框）
２１  隙間
２７  上一面側タイト材
２９  上他面側タイト材
３０ａ  上部一面側止水ライン
３０ｂ  上部他面側止水ライン
３１  下一面側タイト材
３３  下他面側タイト材
３４ａ  下部一面側止水ライン
３４ｂ  下部他面側止水ライン
３７  水返し部
４３  枠側止水部品
５１  誘導路
Ｋ    開口部
【図１】
2015045142.tif 000003
【図２】
2015045142.tif 000004
【図３】
2015045142.tif 000005
【図４】
2015045142.tif 000006
【図５】
2015045142.tif 000007
【図６】
2015045142.tif 000008
【図７】
2015045142.tif 000009
【図８】
2015045142.tif 000010
【図９】
2015045142.tif 000011
【図１０】
2015045142.tif 000012
【図１１】
2015045142.tif 000013
【図１２】
2015045142.tif 000014
【図１３】
2015045142.tif 000015
【図１４】
2015045142.tif 000016
【図１５】
2015045142.tif 000017
【手続補正書】
【提出日】平成25年9月3日(2013.9.3)
【手続補正１】
【補正対象書類名】図面
【補正対象項目名】図１
【補正方法】変更
【補正の内容】
【図１】
2015045142.tif 000018
【手続補正２】
【補正対象書類名】図面
【補正対象項目名】図９
【補正方法】変更
【補正の内容】
【図９】
2015045142.tif 000019